(57)【要約】【課題】レジャー用やスポーツ用のシューズやシューズ・パッド、クッション、マットレスであるとか、救命道具、玩具、医療用のリハビリ器具といったような、柔軟性と可撓性を要求する製品を作る基礎材料になる、微小多孔性のポリマー可撓性物品を提供する。【解決手段】  微細に粉状化された柔軟性合成物２０１を、多孔性鉱石を微小に粉状にした粘土２０２と混ぜ合わせて、重合化合成物２０３を製造し成型してから、これを更にダブルシャフトを介して圧搾し、つぶつぶ状粒子２０４を形成し、これら粒子２０４に交差連結剤および中温発泡剤を適切な割合で混ぜ合わせ、化学的発泡工程を経て、シート状の形態にして微小多孔性のポリマー可撓性物品を形成する構成としたので、これを基礎材料として用いてこれから種々の製品が製造されることで、種々の最終商品は、無数の気孔を介し一層好ましい換気性／圧力分散性効果が得られ、じめじめとした不愉快感を防止できるようにすると共に、快適で広範な適用を可能とした。【選択図】図２
0003115932.tif 000002
【実用新案登録請求の範囲】
【請求項１】
通気性のある気孔が多数不規則に配置されている可撓性合成物の本体を有する微小多孔性のポリマー可撓性物品であって、
前記可撓性合成物の本体は、微細に粉状化された柔軟性のある合成物（ＨＹＣ−６８Ｄ２ ）を、多孔性鉱石を微小に粉状にした粘土と混ぜ合わせて、重合化合成物とした後に成型し、この成型物を更にダブルシャフトを介して圧搾してつぶつぶ状粒子を形成し、その後、交差連結剤および中温発泡剤を適切な割合でこれらの粒子に混合して化学的に発泡させ、この発泡工程を経てこれら粒子材料をシート状形態に成形してなり、前記可撓性合成物の本体を基礎材料として、圧熱工程を介して更に加工し、通気性、柔軟性、可撓性を有する所望の最終製品を製造できるようにしたことを特徴とする微小多孔性のポリマー可撓性物品。
【請求項２】
前記可撓性合成物の本体は基礎材料としての役割を果たし、これから更に加工され、シューズ・パッド、座席シートクッション、ヨガ用マットレスなどの様々な広範な製品に加工されることを特徴とする請求項１記載の微小多孔性のポリマー可撓性物品。
【考案の詳細な説明】
【技術分野】
【０００１】
本考案は微小多孔性のポリマー可撓性物品に関し、更に具体的に言うと、レジャー用やスポーツ用のシューズであるとか、救命道具、玩具、医療用のリハビリ器具といったような、柔軟性と可撓性を要求する製品を作る基礎材料に関する。
【背景技術】
【０００２】
図１は、従来、レジャー／スポーツ用シューズ、シューズ・パッド、救命道具、玩具、医療用のリハビリ器具等々を製造するのに適用されている基礎材料の断面図である。
図１の従来の基礎材料１０は、通常、ＥＰＤＭとＥＶＡを相互に混合して発泡させた剛性ゴムで作られていて、更に最終製品に加工製造されるようになる。
しかしながら、従来のような方法で得られる最終製品は、その柔軟性と可撓性の効果が限定されていて、最終製品になお一層加わった、高温や低温、圧力、引張り力などに抗することができない。その上、その最終製品には通気性気孔が備わっていないので、このような従来製品は、換気性が悪く、これが故に製品の寿命が短くなり、使っている内に簡単に変形して状態が悪化してしまう。
【考案の開示】
【考案が解決しようとする課題】
【０００３】
本考案は、従来技術の欠点を改善して、通気性のある気孔が不規則に多数配置されている可撓性合成物本体を有する、微小多孔性のポリマー可撓性物品を提供し、更にこの合成物本体をレジャー／スポーツ用シューズ、シューズ・パッド、救命道具、玩具、医療用のリハビリ器具等々の製品に加工し、それによる最終製品が多数の通気孔を介して良好の換気効果をもたらし、上述の従来技術にみられた風通しが悪く湿気でじめじめするといった不具合を回避することができ、一層快適で広範囲に適用することを可能にすることを目的とする。
【課題を解決するための手段】
【０００４】
この考案に係る請求項１の微小多孔性のポリマー可撓性物品は、通気性のある気孔が多数不規則に配置されている可撓性合成物の本体を有する微小多孔性のポリマー可撓性物品であって、前記可撓性合成物の本体は、微細に粉状化された柔軟性のある合成物（ＨＹＣ−６８Ｄ２）を、多孔性鉱石を微小に粉状にした粘土と混ぜ合わせて、重合化合成物とした後に成型し、この成型物を更にダブルシャフトを介して圧搾してつぶつぶ状粒子を形成し、その後、交差連結剤および中温発泡剤を適切な割合でこれらの粒子に混合して化学的に発泡させ、この発泡工程を経てこれら粒子材料をシート状形態に成形してなり、前記可撓性合成物の本体を基礎材料として、圧熱工程を介して更に加工し、通気性、柔軟性、可撓性を有する所望の最終製品を製造できるようにしたことを特徴とする。
請求項２の考案は、請求項１記載の微小多孔性のポリマー可撓性物品において、前記可撓性合成物の本体は基礎材料としての役割を果たし、これから更に加工され、シューズ・パッド、座席シートクッション、ヨガ用マットレスなどの様々な広範な製品に加工されることを特徴とする。
【考案の効果】
【０００５】
本考案は、通気性のある気孔が不規則に多数配置されている可撓性合成物の本体を微小多孔性のポリマー可撓性物品の基礎材料として用い、最終製品を製造するようにしたので、通気性がよく、換気特性に優れ、加わった圧力を均等に分散することができ、多孔質のため、湿気を吸収し消臭効果もあるため、特に、レジャー用／スポーツ用シューズやシューズ・パッドなどに使用すると、履き心地の優れたシューズなどの最終製品を提供できる。
【０００６】
また、座席シートのクッションの中身のパッドやヨガに使うマットレスのパッドに使用すると、その多孔性で柔軟性のある特性が、据わり心地のよいクッションを提供できるし、ヨガなどで使用するマットレスに使えば、その上でストレッチをしたり寝るポーズを取ったときに、心地よい感触を与えることができる。
【０００７】
更にまた、このパッドはリサイクルできるので、経済的で、地球環境保護の観点からもその一助となる。
【考案を実施するための最良の形態】
【０００８】
以下、添付図面を参照して本考案の好適な実施の形態を詳細に説明する。図１は、従来の合成ゴム物品の断面図、図２は本考案に係る微小多孔性のポリマー可撓性物品を形成する工程の実施例を示す概略図、図３は本考案の微小多孔性のポリマー可撓性物品の斜視図、図４は本考案の微小多孔性のポリマー可撓性物品の部分断面図、図５は本考案の微小多孔性のポリマー可撓性物品を最終製品に適用した場合を示す概略図、図６は本考案の微小多孔性のポリマー可撓性物品を別の最終製品に適用した場合の概略図、図７は本考案の微小多孔性のポリマー可撓性物品を更に別の最終製品に適用した場合の概略図である。
【実施例】
【０００９】
図２〜図３について説明する。本考案の微小多孔性のポリマー可撓性物品は、通気性のある気孔が多数不規則に配置されている可撓性合成物の本体２０を有する。
【００１０】
該可撓性合成物の本体２０の製造工程を以下に説明する。
微細に粉状化された柔軟性のある合成物（ＨＹＣ−６８Ｄ２ ）２０１を、多孔性鉱石を微小に粉状にした粘土２０２と混ぜ合わせて、重合化合成物２０３を製造して成型したのち、この成型品を更にダブルシャフトを介して圧搾し、つぶつぶ状粒子２０４を形成する。
【００１１】
その後、これらの粒子２０４に交差連結剤および中温発泡剤を適切な割合で合わせて、化学的に発泡させ、この発泡工程を経てから、これら粒子２０４の材料を、図４に示すようにシート状形態にして、多数の気孔２１を有する微小多孔性の可撓性合成物の本体２０を形成する。
【００１２】
このシート状に形成された可撓性合成物の本体２０は、これから製造する製品の基礎材料としての役目を果たし、最終製品に対して、高温および低温に対する抗体力、長期耐久性、反滑り特性、相対的密度の軽減、柔軟性などと共に、衝撃吸収性および好換気性という広範囲の特性を与える。
【００１３】
図５は、本考案の基礎材料としての柔軟性或いは可撓性合成物の本体２０が、圧熱工程を介して更に加工され、様々な製品に成型され、（例えばシューズ２２のような）シューズのパッド２２１として使用するような、本考案の微小多孔性のポリマー可撓性物品を基礎材料として製造した製品の第１の実施態様を示している。
【００１４】
柔軟性或いは可撓性合成物の本体２０で作られたシューズ・パッド２２１は、多数の気孔２１を介して、一層良好な換気効果を達成し、着用者がこのパッドを使用してシューズを履いたとき、従来のシューズで悩まされた不愉快な風通しの悪いじめじめ感を回避することができる。また、本考案の可撓性合成物の本体２０の可撓性により、このシューズ・パッド２２１は、靴に足を入れたときに圧力を開放して和らげ、より一層快適で容易な歩行状態を提供することができる。
【００１５】
図６は、本考案の柔軟性或いは可撓性合成物の本体２０を使用した製品の第２の実施形態を示す。前記合成物の本体２０を基礎材料として加工されたパッド本体２２は、座席のクッション２２２にもできるし、或いはまた、第３の実施形態として図７に示すように、ヨガ用のマットレス２２３にすることもできる。
【００１６】
クッション２２２（或いはマットレス２２３）はその外側表面をカバーで覆われていて、中に入っているパッド本体２２による卓越した柔軟性と、パッド本体２２に配置された無数の気孔２１による良好な換気効果とを得ることができるので、使用者はその上に心地よく座ったり、ストレッチをしたり、寝そべったりすることができる。
【００１７】
また、パッド本体２２は経済的にリサイクルすることができるので、環境保護を効果的に達成することができる。
更に、パッド本体２２は、その表面に誤って液体がはねかかって汚れた場合などには、気孔２１が液体を即座に全体的に分散させてから、分散させた液体を均等に吸収するので、液体がその場に直接浸透してしまうのを防止でき、これにより、本考案を一層便利で多機能に適用し易いものとする。
【００１８】
本考案の柔軟性或いは可撓性合成物の本体２０は、この他にも、救命道具、玩具、リハビリ用医療器具等々の、快適感と高可撓性を要求する多くの製品に様々に適用できることで、効果的に広範囲の適用を達成することができる。
【００１９】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２０】
【図１】従来の合成ゴム物品の断面図、
【図２】本考案に係る微小多孔性のポリマー可撓性物品を形成する工程の実施例を示す概略図、
【図３】本考案の微小多孔性のポリマー可撓性物品の斜視図、
【図４】本考案の微小多孔性のポリマー可撓性物品の部分断面図、
【図５】本考案の微小多孔性のポリマー可撓性物品を最終製品に適用した場合を示す概略図、
【図６】本考案の微小多孔性のポリマー可撓性物品を別の最終製品に適用した場合の概略図、
【図７】本考案の微小多孔性のポリマー可撓性物品を更に別の最終製品に適用した場合の概略図である。
【符号の説明】
【００２１】
２０        可撓性合成物の本体
２０１      微細に粉状化された柔軟性のある合成物（ＨＹＣ−６８Ｄ２ ）
２０２      多孔性鉱石を微小に粉状にした粘土
２０３      重合化合成物
２０４      つぶつぶ状粒子
２１        多数の気孔
２２        パッド本体
２２１      シューズ・パッド
２２２      座席のクッション
２２３      ヨガ用のマットレス
【図１】
0003115932.tif 000003
【図２】
0003115932.tif 000004
【図３】
0003115932.tif 000005
【図４】
0003115932.tif 000006
【図５】
0003115932.tif 000007
【図６】
0003115932.tif 000008
【図７】
0003115932.tif 000009
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
微細に粉状化された柔軟性のある合成物を、多孔性鉱石を微小に粉状にした粘土と混ぜ合わせて、重合化合成物とした後に成型し、この成型物を更にダブルシャフトを介して圧搾してつぶつぶ状粒子を形成し、その後、交差連結剤および中温発泡剤を所定割合でこれらの粒子に混合して化学的に発泡させ、この発泡工程を経て作られた粒子材料によって可撓性合成物の本体を成形してなり、前記可撓性合成物の本体を圧熱工程を介して更に加工して、通気性、柔軟性、可撓性を有する板状部材を製造したことを特徴とする微小多孔性ポリマー可撓性合成物からなる板状部材。
【請求項２】
前記板状部材は、更に加工されシューズ・パッド、座席シートクッション、ヨガ用マットレスなどから選ばれた１つの最終製品に加工されることを特徴とする請求項１に記載の微小多孔性ポリマー可撓性合成物からなる板状部材。
【手続補正２】
【補正対象書類名】明細書
【補正対象項目名】全文
【補正方法】変更
【補正の内容】
【考案の詳細な説明】
【技術分野】
【０００１】
本考案は微小多孔性のポリマー可撓性物品に関し、更に具体的に言うと、レジャー用やスポーツ用のシューズであるとか、救命道具、玩具、医療用のリハビリ器具といったような、柔軟性と可撓性を要求する製品を作る基礎材料となる微小多孔性ポリマー可撓性合成物からなる板状部材に関する。
【背景技術】
【０００２】
図１は、従来、レジャー／スポーツ用シューズ、シューズ・パッド、救命道具、玩具、医療用のリハビリ器具等々を製造するのに適用されている基礎材料の断面図である。
図１の従来の基礎材料１０は、通常、ＥＰＤＭとＥＶＡを相互に混合して発泡させた剛性ゴムで作られていて、更に最終製品に加工製造されるようになる。
しかしながら、従来のような方法で得られる最終製品は、その柔軟性と可撓性の効果が限定されていて、最終製品になお一層加わった、高温や低温、圧力、引張り力などに抗することができない。その上、その最終製品には通気性気孔が備わっていないので、このような従来製品は、換気性が悪く、これが故に製品の寿命が短くなり、使っている内に簡単に変形して状態が悪化してしまう。
【考案の開示】
【考案が解決しようとする課題】
【０００３】
本考案は、従来技術の欠点を改善して、通気性のある気孔が不規則に多数配置されている可撓性合成物本体を有する、微小多孔性のポリマー可撓性合成物からなる板状部材を提供し、更にこの合成物からなる板状部材をレジャー／スポーツ用シューズ、シューズ・パッド、救命道具、玩具、医療用のリハビリ器具等々の製品に加工し、それによる最終製品が多数の通気孔を介して良好の換気効果をもたらし、上述の従来技術にみられた風通しが悪く湿気でじめじめするといった不具合を回避することができ、一層快適で広範囲に適用することを可能にすることを目的とする。
【課題を解決するための手段】
【０００４】
この考案に係る請求項１の微小多孔性ポリマー可撓性合成物からなる板状部材は、微細に粉状化された柔軟性のある合成物を、多孔性鉱石を微小に粉状にした粘土と混ぜ合わせて、重合化合成物とした後に成型し、この成型物を更にダブルシャフトを介して圧搾してつぶつぶ状粒子を形成し、その後、交差連結剤および中温発泡剤を所定割合でこれらの粒子に混合して化学的に発泡させ、この発泡工程を経て作られた粒子材料によって可撓性合成物の本体を成形してなり、前記可撓性合成物の本体を圧熱工程を介して更に加工して、通気性、柔軟性、可撓性を有する板状部材を製造したことを特徴とする。
請求項２の考案は、前記板状部材は、請求項１に記載の微小多孔性ポリマー可撓性合成物からなる板状部材において、更に加工されシューズ・パッド、座席シートクッション、ヨガ用マットレスなどから選ばれた１つの最終製品に加工されることを特徴とする。
【考案の効果】
【０００５】
本考案は、通気性のある気孔が不規則に多数配置されている可撓性合成物の本体を圧縮工程を介して更に加工して、微小多孔性のポリマー可撓性物品の基礎材料である板状部材を形成し、この板状部材によって、最終製品を製造するようにしたので、通気性がよく、換気特性に優れ、加わった圧力を均等に分散することができ、多孔質のため、湿気を吸収し消臭効果もあるため、特に、レジャー用／スポーツ用シューズやシューズ・パッドなどに使用すると、履き心地の優れたシューズなどの最終製品を提供できる。
【０００６】
また、座席シートのクッションの中身のパッドやヨガに使うマットレスのパッドに使用すると、その多孔性で柔軟性のある特性が、据わり心地のよいクッションを提供できるし、ヨガなどで使用するマットレスに使えば、その上でストレッチをしたり寝るポーズを取ったときに、心地よい感触を与えることができる。
更にまた、このパッドはリサイクルできるので、経済的で、地球環境保護の観点からもその一助となる。
【考案を実施するための最良の形態】
【０００７】
以下、添付図面を参照して本考案の好適な実施の形態を詳細に説明する。図１は、従来の合成ゴム物品の断面図、図２は本考案に係る微小多孔性ポリマー可撓性合成物からなる板状部材を形成する工程の実施例を示す概略図、図３は本考案の微小多孔性ポリマー可撓性合成物からなる板状部材の斜視図、図４は本考案の微小多孔性ポリマー可撓性合成物からなる板状部材の部分断面図、図５は本考案の微小多孔性ポリマー可撓性合成物からなる板状部材を最終製品に適用した場合を示す概略図、図６は本考案の微小多孔性ポリマー可撓性合成物からなる板状部材を別の最終製品に適用した場合の概略図、図７は本考案の微小多孔性ポリマー可撓性合成物からなる板状部材を更に別の最終製品に適用した場合の概略図である。
【実施例】
【０００８】
図２〜図３について説明する。本考案の微小多孔性ポリマー可撓性合成物からなる板状部材は、通気性のある気孔が多数不規則に配置されている可撓性合成物の本体２０から形成される。該可撓性合成物の本体２０の製造工程を以下に説明する。
【０００９】
微細に粉状化された柔軟性のある合成物（ＨＹＣ−６８Ｄ２）２０１を、多孔性鉱石を微小に粉状にした粘土２０２と混ぜ合わせて、重合化合成物２０３を製造して成型したのち、この成型品を更にダブルシャフトを介して圧搾し、つぶつぶ状粒子２０４を形成する。
【００１０】
その後、これらの粒子２０４に交差連結剤および中温発泡剤を適切な割合で合わせて、化学的に発泡させ、この発泡工程を経てから、これら粒子２０４の材料を、図４に示すようにシート状形態にして、多数の気孔２１を有する微小多孔性の可撓性合成物の本体２０を形成する。
このシート状に形成された可撓性合成物の本体２０は、これから製造する製品の基礎材料としての役目を果たすもので、最終製品に対して、高温および低温に対する抗体力、長期耐久性、反滑り特性、相対的密度の軽減、柔軟性などと共に、衝撃吸収性および好換気性という広範囲の特性を与えることが可能となる。
【００１１】
図５は、本考案の柔軟性或いは可撓性を有する可撓性合成物の本体２０が、圧熱工程を介して更に加工されて柔軟性或いは可撓性を有する板状部材とされ、この板状部材が、例えば、シューズ２２のシューズパッド２２１のような様々な製品に成型された、本考案の微小多孔性ポリマー可撓性合成物からなる板状部材を、基礎材料として製造した製品の第１の実施態様を示している。
【００１２】
柔軟性或いは可撓性を有する可撓性合成物の本体２０を加工した板状部材で作られたシューズ・パッド２２１は、多数の気孔２１を介して、一層良好な換気効果を達成し、着用者がこのパッドを使用してシューズを履いたとき、従来のシューズで悩まされた不愉快な風通しの悪いじめじめ感を回避することができる。また、本考案の板状部材の可撓性により、このシューズ・パッド２２１は、靴に足を入れたときに圧力を開放して和らげ、より一層快適で容易な歩行状態を提供することができる。
【００１３】
図６は、本考案の柔軟性或いは可撓性を有する可撓性合成物の本体２０で形成した板状部材を使用した製品の第２の実施形態を示す。前記板状部材から形成したパッド本体２２は、座席のクッション２２２にもできるし、或いはまた、第３の実施形態として図７に示すように、ヨガ用のマットレス２２３にすることもできる。
【００１４】
クッション２２２（或いはマットレス２２３）はその外側表面をカバーで覆われていて、中に入っているパッド本体２２による卓越した柔軟性と、パッド本体２２に配置された無数の気孔２１による良好な換気効果とを得ることができるので、使用者はその上に心地よく座ったり、ストレッチをしたり、寝そべったりすることができる。
【００１５】
また、パッド本体２２は経済的にリサイクルすることができるので、環境保護を効果的に達成することができる。
更に、パッド本体２２は、その表面に誤って液体がはねかかって汚れた場合などには、気孔２１が液体を即座に全体的に分散させてから、分散させた液体を均等に吸収するので、液体がその場に直接浸透してしまうのを防止でき、これにより、本考案を一層便利で多機能に適用し易いものとする。
【００１６】
本考案の柔軟性或いは可撓性を有する可撓性合成物の本体２０によって形成された板状部材は、この他にも、救命道具、玩具、リハビリ用医療器具等々の、快適感と高可撓性を要求する多くの製品に様々に適用できることで、効果的に広範囲の適用を達成することができる。
【００１７】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００１８】
【図１】従来の合成ゴム物品の断面図、
【図２】本考案に係る微小多孔性ポリマー可撓性合成物からなる板状部材を形成する工程の実施例を示す概略図、
【図３】本考案の微小多孔性ポリマー可撓性合成物からなる板状部材の斜視図、
【図４】本考案の微小多孔性ポリマー可撓性合成物からなる板状部材の部分断面図、
【図５】本考案の微小多孔性ポリマー可撓性合成物からなる板状部材を最終製品に適用した場合を示す概略図、
【図６】本考案の微小多孔性ポリマー可撓性合成物からなる板状部材を別の最終製品に適用した場合の概略図、
【図７】本考案の微小多孔性ポリマー可撓性合成物からなる板状部材を更に別の最終製品に適用した場合の概略図である。
【符号の説明】
【００１９】
２０        可撓性合成物の本体（板状部材）
２０１      微細に粉状化された柔軟性のある合成物（ＨＹＣ−６８Ｄ２）
２０２      多孔性鉱石を微小に粉状にした粘土
２０３      重合化合成物
２０４      つぶつぶ状粒子
２１        多数の気孔
２２        パッド本体
２２１      シューズ・パッド
２２２      座席のクッション
２２３      ヨガ用のマットレス